(57)【要約】１ｘネットワークの下にある端末によりＨＲＰＤネットワークのパケットデータサービスを確立する方法であって、ａ）端末がターゲットＡＮ／ＰＣＦに対してＨＲＰＤセッション確立要求を開始するステップ、ｂ）既存のＨＲＰＤセッション情報を取得した後、ターゲットＡＮ／ＰＣＦが端末とＨＲＰＤセッションを確立するステップ、ｃ）ターゲットＡＮ／ＰＣＦと端末が、セッション情報を利用してセッションの環境設定を行い、パケットデータサービス用のデータ接続を確立するステップ、を行う。本発明により、端末が１ｘネットワークでサービス中で、ＨＲＰＤネットワークにパケットデータセッションを有している場合でも、この端末がＨＲＰＤネットワークとパケットデータサービスを確立できる。１ｘネットワークとＨＲＰＤネットワークの間のシームレスなハンドオフに有利であり、２つのネットワークの長所が補完され、またユーザ経験がさらに改善される。
2009538066.tif 000002
【特許請求の範囲】
【請求項１】
１ｘネットワークにおいて高速パケットデータ（ＨＲＰＤ）ネットワークのパケットデータサービスを確立する方法であって、
アクセス端末（ＡＴ）により、ＨＲＰＤネットワークのターゲットアクセスネットワーク／パケット制御機能（ＡＮ／ＰＣＦ）へセッション確立要求を開始するステップと、
前記ターゲットＡＮ／ＰＣＦにより、既存のＨＲＰＤセッションのセッション情報を取得後、前記ＡＴとのＨＲＰＤセッションを確立するステップと、
前記ターゲットＡＮ／ＰＣＦおよび前記ＡＴにより、前記取得されたセッション情報に基づきセッション環境設定を実行し、ＨＲＰＤネットワークパケットデータサービス用のデータ接続を確立するステップと、
を含む方法。
【請求項２】
前記ＡＴが、前記ＨＲＰＤネットワークパケットデータサービスを実行するために、既存の１ｘネットワークのトラフィックチャネルの信号方式伝送容量を利用して前記ＨＲＰＤネットワークと情報インタラクションをすることを特徴とする請求項１に記載の方法。
【請求項３】
前記既存の１ｘネットワークのトラフィックチャネルは基本チャネル（ＦＣＨ）であることを特徴とする請求項２に記載の方法。
【請求項４】
前記ＡＴによるＨＲＰＤネットワークのターゲットＡＮ／ＰＣＦへのセッション確立要求を開始するステップの前に、前記ＡＴと前記ＨＲＰＤネットワークとの間の情報フローを担うために、前記１ｘネットワークのエアインタフェース上にチャネルを生成するステップをさらに含むことを特徴とする請求項１に記載の方法。
【請求項５】
前記ＡＴと前記ＨＲＰＤネットワークとの間の情報フローを担うために前記１ｘネットワークのエアインタフェース上にチャネルを生成するステップが、
前記ＡＴにより、多重オプションとトラフィックチャネル要求とサービスＩＤとを含むサービス環境設定情報レコードを含むサービス要求を、基地局（ＢＳ）へ送信するステップと、
前記ＢＳにより、前記サービス環境設定の有効な開始時間と、多重オプションとトラフィックチャネル割り当てとサービスＩＤとを含むサービス環境設定情報レコードと、を含むサービス接続応答を返信するステップと、
を含むことを特徴とする請求項４に記載の方法。
【請求項６】
前記生成されるチャネルは、専用制御チャネル（ＤＣＣＨ）であることを特徴とする請求項５に記載の方法。
【請求項７】
前記ＡＴと前記ＨＲＰＤネットワークとの間の前記情報フローを担うために前記１ｘネットワークのエアインタフェース上にチャネルを生成するステップが、
前記ＡＴにより、拡張発呼メッセージを前記ＢＳへ送信するステップと、
前記ＢＳにより、前記ＡＴへＢＳ確認応答指示を返信した後、移動交換センタ（ＭＳＣ）へ追加サービス要求を送信するステップと、
前記ＭＳＣにより、割り当て要求を返信するステップと、
前記ＡＴにより、多重オプションとトラフィックチャネル要求とサービスＩＤとを含むサービス環境設定情報レコードを含むサービス要求を、前記ＢＳへ送信するステップと、
前記ＢＳにより、前記サービス環境設定の有効な開始時間と、多重オプションとトラフィックチャネル割り当てとサービスＩＤとを含むサービス環境設定情報レコードと、を含むサービス接続応答を返信するステップと、
をさらに含むことを特徴とする請求項４に記載の方法。
【請求項８】
前記生成されたチャネルが、補足コードチャネル（ＳＣＣＨ）又は補足チャネル（ＳＣＨ）であることを特徴とする請求項７に記載の方法。
【請求項９】
前記チャネルが、前記ＡＴと前記ＨＲＰＤネットワークとの間の前記情報フローをデータバーストメッセージによって送信することを特徴とする請求項２または請求項６に記載の方法。
【請求項１０】
前記チャネルが、前記ＡＴと前記ＨＲＰＤネットワークとの間の情報フローをサービスデータによって伝送することを特徴とする請求項８に記載の方法。
【請求項１１】
前記ターゲットＡＮ／ＰＣＦにより、既存のＨＲＰＤセッションのセッション情報を取得後、前記ＡＴとのＨＲＰＤセッションを確立するステップが、
前記ターゲットＡＮ／ＰＣＦにより、前記ＡＴの前記ＨＲＰＤセッション情報のすべてが含まれているかどうかを検証し、前記ＨＲＰＤセッション情報のすべてが含まれている場合には、前記ＡＴとのＨＲＰＤセッションを確立し、前記ＨＲＰＤセッション情報のすべてが含まれていない場合には、前記ターゲットＡＮ／ＰＣＦにより、ソースＡＮ／ＰＣＦからＨＲＰＤセッション情報を取得し、前記ＡＴとのＨＲＰＤセッションを確立するステップを含むことを特徴とする請求項１に記載の方法。
【請求項１２】
前記ターゲットＡＮ／ＰＣＦにより、前記ＡＴとのＨＲＰＤセッションを確立した後に、前記ターゲットＡＮ／ＰＣＦにより、パケットデータサービングノード（ＰＤＳＮ）とのデータ接続を確立するステップと、
前記ソースＡＮ／ＰＣＦにより、前記ＰＤＳＮとの古いデータ接続を開放するステップと、
をさらに含むことを特徴とする請求項１１に記載の方法。
【請求項１３】
前記ターゲットＡＮ／ＰＣＦおよび前記ＡＴにより、取得されたセッション情報に基づきセッション環境設定を実行するステップが、
前記ＡＴにより、属性レコードを含む環境設定要求を前記ターゲットＡＮ／ＰＣＦへ送信するステップと、
前記ターゲットＡＮ／ＰＣＦにより、別の属性レコードを含む環境設定応答を返信するステップであって、情報フローが環境設定されかつ前記情報フローのＱｏＳが更新されるように、前記ターゲットＡＮ／ＰＣＦにより返信される前記属性レコードは前記ＡＴおよび前記ターゲットＡＮ／ＰＣＦの両方にサポートされる属性であるとともに前記ＡＴにより送信される属性レコードのサブセットである、前記返信するステップと、
を含むことを特徴とする請求項１に記載の方法。
【請求項１４】
ＨＲＰＤネットワークパケットデータサービス用のデータ接続を確立するステップが、
前記ターゲットＡＮ／ＰＣＦにより、ＰＤＳＮへ登録要求を送信するステップであって、前記要求が、前記サービスデータ送信のための前記ターゲットＡＮ／ＰＣＦと前記ＰＤＳＮとの間のデータ接続のライフサイクルを含む、前記送信するステップと、
前記ＰＤＳＮにより、前記データ接続の確立を完結させる登録応答を返信するステップと、
を含むことを特徴とする請求項１に記載の方法。
【請求項１５】
前記ＡＴと前記ＨＲＰＤネットワークとの間の情報フローが、前記ターゲットＡＮ／ＰＣＦと１ｘＢＳとを経由して伝送され、前記伝送が、前記ＢＳにより前記ターゲットＡＮ／ＰＣＦへ前記情報フローを送信するプロセスと、前記ターゲットＡＮ／ＰＣＦにより前記ＢＳへ前記情報フローを送信するプロセスと、を含み、
前記ＢＳにより前記ターゲットＡＮ／ＰＣＦへ前記情報フローを送信するプロセスが、
前記ＢＳにより、アプリケーションデータ配信サービス（ＡＤＤＳ）配信メッセージを前記ＭＳＣへ送信するステップと、
前記ＭＳＣにより、ＡＤＤＳページメッセージを前記ターゲットＡＮ／ＰＣＦへ送信するステップと、
を含み、
前記ターゲットＡＮ／ＰＣＦにより前記ＢＳへ前記情報フローを送信するプロセスが、
前記ターゲットＡＮ／ＰＣＦにより、ＢＳサービス要求を前記ＭＳＣへ送信するステップと、
ＢＳサービス応答が前記ターゲットＡＮ／ＰＣＦに返信された後に、前記ＭＳＣにより、ＡＤＤＳ配信メッセージを前記ＢＳへ送信するステップと、
を含むことを特徴とする請求項１に記載の方法。
【請求項１６】
前記ターゲットＡＮ／ＰＣＦと前記１ｘＢＳとの間の伝送時に、前記情報フローがＡＤＤＳユーザパートによって送信されることを特徴とする請求項１５に記載の方法。
【請求項１７】
前記ＡＴと前記ＨＲＰＤネットワークとの間の情報フローが前記ターゲットＡＮ／ＰＣＦと１ｘＢＳとを経由して伝送され、前記伝送が、前記ＢＳにより、前記ターゲットＡＮ／ＰＣＦへ前記情報フローを送信するプロセスと、前記ターゲットＡＮ／ＰＣＦにより、前記ＢＳへ前記情報フローを送信するプロセスと、を含み、
前記ＢＳにより前記ターゲットＡＮ／ＰＣＦへ前記情報フローを送信するプロセスが、
前記ＢＳにより、前記情報フローを含むメッセージを前記ターゲットＡＮ／ＰＣＦへ送信するステップと、
前記ターゲットＡＮ／ＰＣＦにより、確認応答メッセージを前記ＢＳへ返信するステップと、
を含み、
前記ターゲットＡＮ／ＰＣＦにより前記ＢＳへ前記情報フローを送信するプロセスが、
前記ターゲットＡＮ／ＰＣＦにより、前記情報フローを含むメッセージを前記ＢＳへ送信するステップと、
前記ＢＳにより、確認応答メッセージを前記ターゲットＡＮ／ＰＣＦへ返信するステップと、
を含むことを特徴とする請求項１に記載の方法。
【発明の詳細な説明】
【技術分野】
【０００１】
本発明は、アクセス端末（ＡＴ）と高速パケットデータ（ＨＲＰＤ）ネットワークとの間の情報インタラクションに関する。特に、１ｘネットワーク中にＨＲＰＤネットワークパケットデータサービスを確立する方法に関する。
【背景技術】
【０００２】
符号分割多重接続（ＣＤＭＡ）２０００−１ｘネットワークは広範なユーザを持っている。これは、主として回線交換方式の音声サービスおよび中低速データサービスを提供する。ＣＤＭＡ２０００−１ｘＥＶ−ＤＯは，ＨＲＰＤとも称されるが、データアプリケーションへの最適化を図ったものである。ＨＲＰＤリリースＡの最高データ速度は上りで１．８Ｍｂｐｓ，下りで３．１Ｍｂｐｓに及ぶ。ＨＲＰＤはすべてのユーザにバーストモードでの可能な最高速でデータを送信し、その際立った性能のキーとなる特徴が、閉ループ速度制御および容量強化スケジューラである。言い換えれば、最高の性能を得るために、チャネルの状況に応じたモジュレーションモードと伝送周期の動的な選択が可能となっている。
【０００３】
ＨＲＰＤリリースＡは、サービス品質（ＱｏＳ）、インスタントマルチメディアサービス、ロケーションベースのサービス（ＬＢＳ）、イコライザ、受信ダイバシティ、ボイスオーバＩＰ（ＶｏＩＰ）、マルチキャリアを含む、その他の機能強化も提供する。ＱｏＳにより、ＨＲＤＰでＶｏＩＰや異方式とのテレビ電話などの別のアプリケーションを扱うことも可能となり、したがって、運用者が、データフローおよびＱｏＳレベルに応じて別々の課金レートを設定することができる。
【０００４】
ＨＲＰＤは、国際電気通信連合（ＩＴＵ）が規定する３Ｇの機能要求を満足するように、無線移動データネットワークを独立で構築するか、あるいはＣＤＭＡ１ｘと相補的に混合して構築するのに使用される。３Ｇサービスのマーケットがまだ成熟していないので、ネットワークの建設コストを考慮して、ＨＲＰＤネットワーク建設の第１フェーズは、通常拠点展開策を取る。こうしてＣＤＭＡ１ｘとＨＲＰＤネットワークとの間のサービスのハンドオフの問題はＨＲＰＤネットワークにとって危急の課題となっている。そして同時に、ＨＲＰＤネットワーク内部でも、ＣＤＭＡ１ｘとＨＲＰＤネットワークとの間の負荷調整で同じ問題が勃発している。したがって、ＣＤＭＡ１ｘとＨＲＰＤネットワークとのシームレスなサービスのハンドオフに関する研究が必要とされている。シームレスなハンドオフとは、引継ぎの間のサービス中断を極めて短時間とすることであり、それによって、ユーザの満足を確保しながら２つのネットワークの相互補完を可能とする。
【０００５】
ＡＴは、ＨＲＰＤネットワーク中の無線トラフィックチャネルを占有しないが、パケットデータサービングノード（ＰＤＳＮ）へのポイントツーポイントプロトコル（ＰＰＰ）の論理接続は維持し、これによりパケット制御機能（ＰＣＦ）へのＡ１０接続が保持される。これを、ＡＴとＨＲＰＤネットワークとの間のドーマントパケットデータセッションと呼ぶ。ネットワークがデータをＡＴに送ろうとするとき、もしＡＴがＨＲＰＤをモニタしていれば、アクセスネットワーク（ＡＮ）が発行するページメッセージを受信した後、ＡＴはパケットデータセッションを起動させる接続確立要求を能動的に開始する。ＡＮは無線トラフィックチャネルをＡＴに割り当て、ケーブル接続、すなわちＡ８接続を確立し、それからＡＴへデータを伝送する。もし、ＡＴが１ｘネットワークに接続中であれば、ＨＲＰＤネットワークが１ｘネットワークに対しＡＴへのページメッセージ送信を要求する。そしてＡＴは、データ受信のためにＨＲＰＤネットワークへの切り替えを自分で決定する。ＡＴがＨＲＰＤネットワークへデータを送信しようとする場合には、パケットデータセッションの起動を掛ける。そしてデータ伝送が完了した後に、ある長さの時間の間、ＡＴとＨＲＰＤネットワークとの間にデータインタラクションがなければ、パケットデータセッションはドーマント状態に戻る。ドーマントハンドオフとは、ＡＴの移動性の故に、パケットデータサービスをアクティブにするために、ＨＲＰＤセッション情報をソースＡＮ／ＰＣＦからターゲットＡＮ／ＰＣＦへ移動するプロセスのことを言う。ＨＲＰＤセッション情報には、ＨＲＰＤエアインタフェースプロトコルの属性値および関連する公衆データ値が含まれる。アクティブ状態とは、サービスデータが伝送される状態を言う。伝送している間、Ａ１０接続ハンドオフにトリガがかけられる。ここで、Ａ１０接続とはＨＲＰＤネットワークとＡＮ／ＰＣＦとの間の接続である。つまり、旧接続が解放されている間に新接続が確立される。
【０００６】
図１および図２に示すように、ＨＲＰＤネットワークと１ｘネットワークとを接続するのに２つの方法があり、この２つの方法は共存可能である。ＨＲＰＤネットワークの側には、ＰＤＳＮ、ＰＣＦおよびＡＮがある。１ｘネットワークの側には、移動交換センタ（ＭＳＣ）と基地局コントローラ（ＢＳＳ）とがある。第１の方法では、ＨＲＰＤネットワークと１ｘネットワークとは信号方式（signaling）インタフェースＡ１／Ａ１ｐを介して接続される。Ａ１インタフェースは回線接続に基づき、Ａ１ｐインタフェースはＩＰ接続に基づく。そして、信号方式インタフェースＡ１／Ａ１ｐは主として、１ｘ回線交換サービスに関連する信号方式の伝送に使用される。第２の方法では、ＨＲＰＤネットワークと１ｘネットワークとは信号方式インタフェースＡ２１を介して接続され、これは主に、ＡＴがＨＲＰＤネットワークに接続されているときに、１ｘエアインタフェースに関連したメッセージの伝送に使用される。
【０００７】
シングルスタンバイモードを持つＨＲＰＤ／１ｘデュアルモードＡＴに対しては、２つの無線インタフェースを同時にイネーブルにすることは不可能であり、そのためネットワーク間のハンドオフが困難となる。ＡＴが１ｘネットワークで作動しているときに、もし１ｘネットワーク無線インタフェースに基づいてＨＲＰＤネットワークにパケットデータサービスを確立することができれば、１ｘネットワークとＨＲＰＤネットワークとの間のシームレスなハンドオフに有利であろう。
【０００８】
ＡＴとＨＲＰＤネットワークの間にパケットデータセッションがないときに、ＡＴが１ｘネットワーク中にＨＲＰＤネットワークとパケットデータサービスを確立するプロセスは、
１．ＡＴがパケットデータサービスの確立を必要とするときに、ＡＴとＨＲＰＤネットワークとの間の情報フローを担うために１ｘネットワークのエアインタフェース上にチャネルを確立するステップと、
２．ＡＴとＡＮとの間に、ユニキャストアクセス端末識別子（ＵＡＴＩ）の割り当て、セッションネゴーシエーション、および場合によってはアクセス認証など、を含むＨＲＰＤセッションを確立するステップと、
３．無線トラフィックチャネルを割り当てるステップと、
４．ＡＮとＰＣＦとの間の接続、およびＰＣＦとＰＤＳＮとの間の接続を確立するステップと、
５．ＡＴとＰＤＳＮとの間の、場合によってはモバイルＩＰ（ＭＩＰ）の登録も含む、ＰＰＰ接続を確立するステップと、
を含む。
【発明の概要】
【発明が解決しようとする課題】
【０００９】
上に述べた方法は、ＡＴとＨＲＰＤネットワークとの間にパケットデータセッションがない場合に、ＡＴにより１ｘネットワーク中にＨＲＰＤネットワークとのパケットデータサービスを確立するために利用される。しかしながらこの方法は、既存のドーマントセッションがある場合には、新しいＨＲＰＤサービスを確立する方策とはならない。
【課題を解決するための手段】
【００１０】
本発明の一実施形態が、ＡＴと高速パケットデータ（ＨＲＰＤ）ネットワークの間に既存のドーマントパケットデータセッションがある場合に、１ｘネットワーク中のアクセス端末（ＡＴ）によりＨＲＰＤネットワークパケットデータサービスを確立する方法を提供する。これにより、ＡＴが１ｘネットワーク中で作動していて、ＨＲＰＤネットワーク中にドーマントパケットデータセッションが既に存在する場合に、新規のＨＲＰＤサービスを確立できないという問題を解決することができる。
【００１１】
本発明の一実施形態が、１ｘネットワークのＡＴによってＨＲＰＤネットワークパケットデータサービスを確立する方法を提供する。この方法が、
ＡＴにより、ＨＲＰＤネットワークのターゲットのアクセスネットワーク／パケット制御機能（ＡＮ／ＰＣＦ）へのセッション確立要求を開始するステップと、
既存のＨＲＰＤセッションのセッション情報を取得後、ターゲットＡＮ／ＰＣＦにより、ＡＴとのＨＲＰＤセッションを確立するステップと、
ターゲットＡＮ／ＰＣＦおよびＡＴにより、取得されたセッション情報に基づきセッション環境設定（configuration）を実行し、ＨＲＰＤネットワークパケットデータサービス用のデータ接続を確立するステップと、
を含む。
【００１２】
ＡＴが、ＨＲＰＤネットワークパケットデータサービスを確立するために、既存の１ｘネットワークのトラフィックチャネルの信号方式伝送容量を介してＨＲＰＤと情報インタラクションをする。
【００１３】
既存の１ｘネットワークトラフィックチャネルは基本チャネル（ＦＣＨ）である。
【００１４】
本方法では、ＡＴによりＨＲＰＤネットワークのターゲットＡＮ／ＰＣＦへのセッション確立要求を開始するステップの前に、ＡＴとＨＲＰＤネットワークとの間の情報フローを担うために１ｘネットワークのエアインタフェース上にチャネルを生成するステップをさらに含む。
【００１５】
ＡＴとＨＲＰＤネットワークとの間の情報フローを担うために１ｘネットワークのエアインタフェース上にチャネルを生成するステップが、
ＡＴにより、多重オプションとトラフィックチャネル要求とサービスＩＤとを含むサービス環境設定情報レコードを含むサービス要求を、基地局（ＢＳ）へ送信するステップと、
ＢＳにより、サービス環境設定の有効な開始時間と、多重オプションとトラフィックチャネル割り当てとサービスＩＤとを含むサービス環境設定情報レコードと、を含むサービス接続応答を返信するステップと、
を含む。
【００１６】
生成されるチャネルは、専用制御チャネル（ＤＣＣＨ）である。
【００１７】
ＡＴとＨＲＰＤネットワークとの間の情報フローを担うために１ｘネットワークのエアインタフェース上にチャネルを生成するステップが、
ＡＴにより、拡張発呼メッセージ（enhanced origination message）をＢＳへ送信するステップと、
ＡＴへＢＳ確認応答指示を返信した後、ＢＳにより、移動交換センタ（ＭＳＣ）へ追加サービス要求を送信するステップと、
ＭＳＣにより、割り当て要求を返信するステップと、
ＡＴにより、多重オプションとトラフィックチャネル要求とサービスＩＤとを含むサービス環境設定情報レコードを含むサービス要求をＢＳに送信するステップと、
ＢＳにより、サービス環境設定の有効な開始時間を含むサービス接続応答と、多重オプション、トラフィックチャネル割り当て、およびサービスＩＤを含むサービス環境設定情報レコードと、を返信するステップと、
をさらに含む。
【００１８】
生成されるチャネルは、補足コードチャネル（ＳＣＣＨ）又は補足チャネル（ＳＣＨ）である。
【００１９】
チャネルは、ＡＴとＨＲＰＤネットワークとの情報フローを、データバーストメッセージ又はサービスデータのいずれかによって伝える。
【００２０】
ターゲットＡＮ／ＰＣＦにより、既存のＨＲＰＤセッションのセッション情報を取得後、ＡＴとのＨＲＰＤセッションを確立するステップが、
ターゲットＡＮ／ＰＣＦにより、ＡＴのＨＲＰＤセッション情報のすべてが含まれているかどうかを確認し、
ＨＲＰＤセッション情報のすべてが含まれている場合には、ＡＴとのＨＲＰＤセッションを確立し、
ＨＲＰＤセッション情報のすべてが含まれていない場合には、ターゲットＡＮ／ＰＣＦにより、ソースＡＮ／ＰＣＦからＨＲＰＤセッション情報を取得し、ＡＴとのＨＲＰＤセッションを確立するステップをさらに含む。
【００２１】
ソースＡＮ／ＰＣＦからＨＲＰＤセッション情報を取得して、ターゲットＡＮ／ＰＣＦによりＡＴとのＨＲＰＤセッションを確立した後に、本方法が、
ターゲットＡＮ／ＰＣＦにより、パケットデータサービングノード（ＰＤＳＮ）とのデータ接続を確立するステップと、
ソースＡＮ／ＰＣＦにより、ＰＤＳＮとの古いデータ接続を開放するステップと、
をさらに含む。
【００２２】
ターゲットＡＮ／ＰＣＦおよびＡＴにより取得されたセッション情報に基づきセッション環境設定を実行するステップが、
ＡＴにより、属性レコードを含む環境設定要求をターゲットＡＮ／ＰＣＦへ送信するステップと、
ターゲットＡＮ／ＰＣＦにより、別の属性レコードを含む環境設定応答を返信するステップであって、ターゲットＡＮ／ＰＣＦにより返信される属性レコードがＡＴおよびターゲットＡＮ／ＰＣＦの両方にサポートされる属性であり、ＡＴにより送信される属性レコードのサブセットであり、よって前記ＩＰトラフィックが環境設定されかつＩＰトラフィックのＱｏＳが更新されるステップと、
を含む。
【００２３】
パケットデータサービス用のデータ接続を確立するステップが、
ターゲットＡＮ／ＰＣＦにより、ＰＤＳＮへ登録要求を送信するステップであって、この要求が、サービスデータ伝送のためのターゲットＡＮ／ＰＣＦとＰＤＳＮとの間のデータ接続のライフサイクルを含むステップと、
ＰＤＳＮにより、データ接続の確立を完結する登録応答を返信するステップと、
を含む。
【００２４】
ＡＴとＨＲＰＤネットワークとの間の情報フローがターゲットＡＮ／ＰＣＦと１ｘＢＳとを経由して伝送され、この伝送が、ＢＳによりターゲットＡＮ／ＰＣＦへ情報フローを送信するプロセスと、ターゲットＡＮ／ＰＣＦによりＢＳへ情報フローを送信するプロセスを含む。
【００２５】
ＢＳによりターゲットＡＮ／ＰＣＦへ情報フローを送信するプロセスが、
ＢＳにより、アプリケーションデータ配信サービス（ＡＤＤＳ）配信メッセージをＭＳＣへ送信するステップと、
ＭＳＣにより、ＡＤＤＳページメッセージをターゲットＡＮ／ＰＣＦへ送信するステップと、
を含む。
【００２６】
ターゲットＡＮ／ＰＣＦによりＢＳへ情報フローを送信するプロセスが、
ターゲットＡＮ／ＰＣＦにより、ＢＳサービス要求をＭＳＣへ送信するステップと、
ＢＳサービス応答がターゲットＡＮ／ＰＣＦに返信された後に、ＭＳＣにより、ＡＤＤＳ配信メッセージをＢＳへ送信するステップと、
を含む。
【００２７】
ターゲットＡＮ／ＰＣＦと１ｘＢＳとの間の伝送の間、情報フローがＡＤＤＳユーザパートによって伝えられる。
【００２８】
ＡＴとＨＲＰＤネットワークとの間の情報フローが、ターゲットＡＮ／ＰＣＦと１ｘＢＳとを経由して伝送され、この伝送が、ＢＳによりターゲットＡＮ／ＰＣＦへ情報フローを送信するプロセスと、ターゲットＡＮ／ＰＣＦによりＢＳへ情報フローを送信するプロセスとを含む。
【００２９】
ＢＳによりターゲットＡＮ／ＰＣＦへ情報フローを送信するプロセスが、
ＢＳにより、情報フローを含むメッセージをターゲットＡＮ／ＰＣＦへ送信するステップと、
ターゲットＡＮ／ＰＣＦにより、確認応答メッセージをＢＳへ返信するステップと、
を含む。
【００３０】
ターゲットＡＮ／ＰＣＦによりＢＳへ情報フローを送信するプロセスが、
ターゲットＡＮ／ＰＣＦにより、情報フローを含むメッセージをＢＳへ送信するステップと、
ＢＳにより、確認応答メッセージをターゲットＡＮ／ＰＣＦへ返信するステップと、
を含む。
【発明の効果】
【００３１】
本発明では、たとえば音声やショートメッセージサービス（ＳＭＳ）などを１ｘネットワークでサービス中のＡＴが、１ｘエアインタフェース、および１ｘネットワークとＨＲＰＤネットワーク中のＡＮとの接続を介して、ＨＲＰＤネットワークパケットデータサービスの確立を開始する。このように本発明ではＡＴが、ＨＲＰＤネットワークの既存のドーマントパケットデータセッションと１ｘネットワークにおいて作動中のときに、ＨＲＰＤネットワークパケットデータサービスの確立を可能とするものである。本発明は、１ｘネットワークとＨＲＰＤネットワークとの間のシームレスなハンドオフに有利であり、２つのネットワークが相補的に補い合い、ユーザがより進んだ経験をすることができる。
【図面の簡単な説明】
【００３２】
【図１】関連技術によりＨＲＰＤネットワークと１ｘネットワーク間をＡ１／Ａ１ｐインタフェースに基づいて接続する構造を概念的に示した図である。
【図２】関連技術によりＨＲＰＤネットワークと１ｘネットワーク間をＡ２１インタフェースに基づいて接続する構造を概念的に示した図である。
【図３】本発明の１実施形態による、１ｘネットワーク中にＨＲＰＤネットワークパケットデータサービスを確立するＡＴのプロセスを示すフローチャートである。
【図４】本発明の1実施形態による、１ｘネットワーク中のＡＴとＨＲＰＤネットワークとの間の情報インタラクションの第1の方法のフローチャートである。
【図５】本発明の1実施形態による、１ｘネットワーク中のＡＴとＨＲＰＤネットワークとの間の情報インタラクションの第２の方法のフローチャートである。
【発明を実施するための形態】
【００３３】
本発明の実施形態においては、ＡＴが１ｘネットワークにおいて、音声あるいはＳＭＳのようなサービスに接続中であるときに、１ｘネットワークのエアインタフェース、および１ｘネットワークとＨＲＰＤネットワークのＡＮとの接続を介して、ＡＴがＨＲＰＤネットワークパケットデータサービスの確立を開始することができる。それに加えて、このプロセスにおいて、ソースＡＮ／ＰＣＦとターゲットＡＮ／ＰＣＦが同一でない場合には、ＨＲＰＤネットワークのドーマントハンドオフが要求される。
【００３４】
ＡＴとＨＰＲＤネットワークの間に既存のパケットデータセッションがあり、かつこのパケットデータセッションがドーマント状態であれば、本発明によりＡＴがＨＰＲＤネットワークと新規のパケットデータサービスを確立することができる。新規のパケットデータサービスを確立する間、ソースＡＮ／ＰＣＦとターゲットＡＮ／ＰＣＦが異なる場合には、ドーマントハンドオフが必要である。ソースＡＮ／ＰＣＦとターゲットＡＮ／ＰＣＦが同一である場合には、新規のサービスを直接確立することができる。しかし、既存のパケットデータセッションがない場合には、確立方法は関連技術の場合とは違ってくる。本発明の実施形態によれば、サービス用の新規のＨＲＰＤセッションを確立して、新ＨＲＰＤセッションへＰＰＰ接続を割り当てるのではなく、既存のＨＲＰＤセッションの環境設定を変更して、そのＨＲＰＤセッションへ適当な新サービスを付加する。
【００３５】
ＡＮおよびＰＣＦは２つの独立したネットワークデバイスである。そして、ＨＲＰＤネットワークの重要なセッション管理／モビリティ管理機能は、ＡＮあるいはＰＣＦのいずれかで実行することができる。しかし、実際の適用においては、ＡＮとＰＣＦは通常結合されており、専用インタフェースがその中に設置される。本発明の実施形態においては簡単のために、この２つの装置は合同名のＡＮ／ＰＣＦと称するが、これはある１つのＡＮがある１つのＰＣＦに対応するという意味ではない。例えば、（ＡＮ／ＰＣＦ）１と（ＡＮ／ＰＣＦ）２とはＡＮは異なっていてＰＣＦは同じ、ということであってもよい。
【００３６】
図３は、本発明の１実施形態による、１ｘネットワーク中にＨＲＰＤネットワークパケットデータサービスを確立するＡＴのプロセスを示すフローチャートである。この実施形態には以下のステップが含まれる。
【００３７】
ステップ１０１：ＡＴとＨＲＰＤネットワークとの間の情報フローを担うために、１ｘネットワークのエアインタフェース上にチャネルを生成する。このチャネルは次の２つの方法によって生成することができる。
【００３８】
Ａ：ＡＴとＨＲＰＤネットワークとの間のチャネルとなる新規の無線トラフィックチャネルを得るために、ＡＴが１ｘネットワークとネゴシエーションする。このチャネルは専用制御チャネル（ＤＣＣＨ）であってよい。このプロセスは、
ＡＴにより、多重オプション、トラフィックチャネル要求、サービスＩＤなどを含むサービス環境設定情報レコードを含んだサービス要求を、ＢＳへ送信するステップと、
ＢＳにより、サービス環境設定の有効な開始時間を含むサービス接続応答と、多重オプション、トラフィックチャネル割り当て、およびサービスＩＤを含むサービス環境設定情報レコードと、を返信するステップと、
を含む。
【００３９】
Ｂ：ＡＴとＨＲＰＤネットワークとの間のチャネルとして無線トラフィックチャネルを取得するための１ｘパケットサービス要求をＡＴが開始する。ここで、１ｘＢＳは１ｘＰＣＦとはＡ８接続を確立せず、確立されるチャネルはＳＣＣＨもしくはＳＣＨである。このチャネル確立には、
ＡＴにより、拡張発呼メッセージをＢＳに送信するステップと、
確認応答指示を返信した後、ＢＳにより、追加サービス要求をＭＳＣに送信するステップと、
ＭＳＣにより、割り当て要求を返信するステップと、
ＢＳおよびＡＴにより、方法Ａと同様のネゴシエーションによって両者間でサービスネゴシエーションを行うステップと、
が含まれる。
【００４０】
方法Ａに従って確立したチャネルは、ＡＴとＨＲＰＤネットワークの間の情報フローデータをデータバーストメッセージとして担う。一方、方法Ｂにより確立したチャネルは、情報フローデータを直接伝送する。
【００４１】
既存のサービスによって占有されているチャネルも、チャネルの信号方式伝送容量を利用してＡＴとＨＲＰＤネットワークの間のチャネルとして使用できる。このときこのチャネルは、ＡＴとＨＲＰＤネットワークとの間の情報フローをデータバーストメッセージとして担うＦＣＨである。したがって、１本の新規の１ｘトラフィックチャネルを確立する必要はない。ステップ１０２は直接実行できる。
【００４２】
ステップ１０２：ＡＴが、ターゲットＡＮ／ＰＣＦに対してＨＲＰＤセッション確立要求を開始し、ターゲットＡＮ／ＰＣＦとソースＡＮ／ＰＣＦが同一のＡＮ／ＰＣＦであるかどうかを検証する。同一のＡＮ／ＰＣＦであればステップ１０７に進む。そうでない場合には、ステップ１０３に進む。
【００４３】
ステップ１０３：ターゲットＡＮ／ＰＣＦが、ソースＡＮ／ＰＣＦから、既存のＨＲＰＤセッションのセッション情報を取得する。
【００４４】
ステップ１０４：ＡＴおよびターゲットＡＮ／ＰＣＦがＨＲＰＤセッションを確立する。
【００４５】
ステップ１０５：ターゲットＡＮ／ＰＣＦがＰＤＳＮとのデータ接続を確立する。
【００４６】
ステップ１０６：ソースＡＮ／ＰＣＦおよびＰＤＳＮが古いデータ接続を開放する。もし、多重のドーマントパケットデータサービスがある場合には、ステップ１０５とステップ１０６を繰り返して、すべてのサービスを新しいデータ接続に切り替える。
【００４７】
ステップ１０７：ＡＴとターゲットＡＮ／ＰＣＦが以下のステップを含むプロセスを介してセッションの環境設定をする。
ＡＴにより、属性レコードＡを含む環境設定要求をターゲットＡＮ／ＰＣＦへ送信するステップ。
ターゲットＡＮ／ＰＣＦにより、属性レコードＢを含む環境設定応答を返信するステップ。ここで属性Ｂは属性Ａのサブセットであり、ＡＴおよびターゲットＡＮ／ＰＣＦの両者でサポートされる。したがって、情報フローが環境設定され、情報フローのＱｏＳが更新される。
【００４８】
ステップ１０８：ターゲットＡＮ／ＰＣＦおよびＰＤＳＮが、以下のステップを含むプロセスを介して、両者の間にパケットデータサービス用の接続を確立する。
ターゲットＡＮ／ＰＣＦにより、ＰＤＳＮへＡ１１登録要求を送信するステップ。ここには、サービスデータ伝送用の、ターゲットＡＮ／ＰＣＦとＰＤＳＮの間のＡ１０接続のライフサイクルが含まれる。
ＰＤＳＮにより、Ａ１０接続確立を完結するためのＡ１１登録応答を返信するステップ。ここで、Ａ１１接続は、ターゲットＡＮ／ＰＣＦとＰＤＳＮ間の信号方式伝送用に使用される。
【００４９】
ステップ１０８の後では、ＡＴはＰＤＳＮとＰＰＰ接続を確立する必要はない。
【００５０】
前述のプロセスにおいては、１ｘネットワーク中のＡＴとＨＲＰＤ中のＡＮ／ＰＣＦとの間の信号方式伝送には２つの方法がある。１つは、Ａ１／Ａ１ｐインタフェースを介してＡＮ／ＰＣＦをＭＳＣに接続するものであり、もう１つは、Ａ２１インタフェースを介してＡＮ／ＰＣＦをＢＳへ直接接続するものである。第１の方法をとるプロセスを図４に示す。このプロセスは、以下の内容を含む。
【００５１】
ＡＴによりＡＮ／ＰＣＦへ情報を送信するプロセスが、以下のステップを含む。
【００５２】
ステップ２０１：ＡＴにより、１ｘネットワークのエアインタフェースを介して、１ｘネットワーク中のＢＳへデータバーストメッセージを送信するステップ。
【００５３】
ステップ２０２：ＢＳにより、１ｘネットワークのエアインタフェースを介して、ＡＴへレイヤ２Ａｃｋを返信するステップ。
【００５４】
ステップ２０３：ＢＳにより、Ａ１／Ａ１ｐインタフェースを介して、ＭＳＣへＡＤＤＳ配信メッセージを送信するステップ。
【００５５】
ステップ２０４：ＭＳＣにより、ＡＮ／ＰＣＦへＡＤＤＳページメッセージを送信するステップ。
【００５６】
ＡＮ／ＰＣＦによりＡＴへ情報を送信するプロセスが、以下のステップを含む。
【００５７】
ステップ３０１：ＡＮ／ＰＣＦにより、ＭＳＣへＢＳサービス要求を送信するステップ。
【００５８】
ステップ３０２：ＭＳＣがＡＮ／ＰＣＦへＢＳサービス応答を返信した後に、ＭＳＣにより、Ａ１／Ａ１ｐインタフェースを介してＢＳへＡＤＤＳ配信メッセージを送信するステップ。
【００５９】
ステップ３０３：ＢＳにより、１ｘネットワークエアインタフェース上のチャネルを介してＡＴへデータバーストメッセージを返信するステップ。
【００６０】
テップ３０４：ＡＴにより、１ｘネットワークエアインタフェース上のチャネルを介してＢＳへレイヤ２Ａｃｋを送信するステップ。
【００６１】
ステップ３０５：ＢＳにより、Ａ１／Ａ１ｐインタフェースを介してＭＳＣへＡＤＤＳ配信Ａｃｋメッセージを送信するステップ。
【００６２】
ステップ３０６：サービスデータのＡＴへの送信に成功したことを通知するイベント通知を、ＭＳＣによりＡＮ／ＰＣＦへ送信するステップ。
【００６３】
上述の方法においては、関連技術におけるプロトコルを対応して変更する必要がある。それらには、データバーストメッセージの拡張と、ＡＤＤＳページメッセージ、ＡＤＤＳ配信メッセージおよびＢＳサービス要求におけるＡＤＤＳユーザパート領域の定義の拡張と、イベント通知におけるイベント領域の定義の拡張と、が含まれる。
【００６４】
１）１ｘエアインタフェースのデータバーストメッセージの拡張
これは、特に新しいデータバーストタイプの生成であり、データバーストメッセージのフォーマットと変更を下記の表に示す。
【００６５】
【表１】
2009538066.tif 000003
【００６６】
関連技術におけるＢＵＲＳＴ＿ＴＹＰＥは、既に「０００１１１」の値に達しており、「００１０００」〜「１１１１０１」の値が予約されている。したがって、「００１０００」のような値を、ＢＵＲＳＴ＿ＴＹＰＥの新規の値として選ぶことができる。データバーストメッセージ中のその他のフィールドの定義について以下に記す。
【００６７】
ＭＳＧ＿ＮＵＭＢＥＲは、データバーストフローにおけるデータバーストメッセージの番号である。
【００６８】
ＮＵＭ＿ＭＳＧＳは、現在のデータバーストフロー中のセグメント化されたデータバーストメッセージの総数である。
【００６９】
ＮＵＭ＿ＦＩＥＬＤＳは、データバーストメッセージで送信されるデータのバイト数である。
【００７０】
ＣＨＡＲｉは、データバーストメッセージによって送信されるデータである。
【００７１】
２）ＡＤＤＳページメッセージ中のＡＤＤＳユーザパートにおける情報要素の拡張子（extension）を以下にリストする。
【００７２】
【表２】
2009538066.tif 000004
【００７３】
上の表に示すように、新規提案の値「００１０００」がデータバーストタイプの中に定義されて、アプリケーションデータメッセージがＨＲＰＤネットワークのアプリケーションデータ、すなわちデータバーストメッセージによるデータ、を送信することを示す。
【００７４】
３）ＡＤＤＳ配信メッセージ中のＡＤＤＳユーザパートにおける情報要素の拡張子を以下にリストする。
【００７５】
【表３】
2009538066.tif 000005
【００７６】
上の表に示すように、新規提案の値「００１０００」がデータバーストタイプの中に定義されて、アプリケーションデータメッセージがＨＲＰＤネットワークのアプリケーションデータ、すなわちデータバーストメッセージによるデータ、を送信することを示す。
【００７７】
４）ＢＳサービス要求中のＡＤＤＳユーザパートにおける情報要素の拡張子を以下にリストする。
【００７８】
【表４】
2009538066.tif 000006
【００７９】
上の表に示すように、新規提案の値「００１０００」がデータバーストタイプの中に定義されて、アプリケーションデータメッセージがＨＲＰＤネットワークのアプリケーションデータ、すなわちデータバーストメッセージによるデータ、を送信することを示す。
【００８０】
５）イベント通知の中のイベント要素の拡張子は次のものを含む。
【００８１】
【表５】
2009538066.tif 000007
【００８２】
ＨＲＰＤネットワークのアプリケーションデータがＡＴへ送信成功したことを示す、新しいイベント識別子タイプが上の表に示すように定義される。
【００８３】
以上、ＡＴとＨＲＰＤネットワークのＡＮ／ＰＣＦとの間で情報インタラクションを行う第１の方法を説明した。第２の方法においては、図５に示すように、１ｘＭＳＣとの接続なしに、ＡＴはＡ２１インタフェースを介してＡＮ／ＰＣＦと直接やり取りを行う。この方法には以下が含まれる。
【００８４】
ＡＴによりＡＮ／ＰＣＦへ情報を送信するプロセス。これにはさらに次のステップが含まれる。
【００８５】
ステップ４０１：１ｘネットワークのエアインタフェース上のチャネルを介して、ＡＴにより１ｘネットワークのＢＳへデータバーストメッセージを送信するステップ。
【００８６】
ステップ４０２：１ｘネットワークのエアインタフェースを介して、ＢＳによりＡＴへレイヤ２のＡｃｋを返信するステップ。
【００８７】
ステップ４０３：Ａ２１インタフェースを介して、ＢＳによりＡＮ／ＰＣＦへＡ２１ＨＲＰＤエアインタフェースメッセージを送信するステップ。
【００８８】
ステップ４０４：ＡＮ／ＰＣＦにより、ＢＳへＡ２１確認応答メッセージを送信するステップ。
【００８９】
ＡＮ／ＰＣＦにより、ＡＴへ情報を送信するプロセス。これにはさらに以下のステップが含まれる。
【００９０】
ステップ５０１：ＡＮ／ＰＣＦにより、１ｘネットワークＢＳへＡ２１ＨＲＰＤエアインタフェースメッセージを送信するステップ。
【００９１】
ステップ５０２：ＢＳがＡＮ／ＰＣＦへＡ２１確認応答メッセージを返信した後に、１ｘネットワークエアインタフェースを介して、ＢＳによりＡＴへデータバーストメッセージを送信するステップ。
【００９２】
ステップ５０３：１ｘネットワークのエアインタフェース上のチャネルを介して、ＡＴによりＢＳへレイヤ２のＡｃｋを返信するステップ。
【００９３】
ステップ５０４：サービスデータのＡＴへの送信に成功したことを知らせるイベント通知を、ＢＳによりＡＮ／ＰＣＦへ送信するステップ。
【００９４】
前述のプロセスにおいては、Ａ２１インタフェースを介してＢＳをＡＮに接続するために、関連技術におけるプロトコルの対応する変更が必要となる。この変更には以下のものが含まれる。
【００９５】
１）ＡＴとＨＲＰＤネットワークのＡＮ／ＰＣＦとの情報インタラクションを行うために、第１の方法で説明したのと同一のデータバーストメッセージ上の拡張子。
【００９６】
２）３つの新規のＡ２１インタフェースメッセージの生成。
Ａ２１ＨＲＰＤエアインタフェースメッセージ：これはＢＳとＡＮ／ＰＣＦとの間でＨＲＰＤネットワーク関連の情報を伝送するのに使用。
Ａ２１確認応答メッセージ：これはＢＳとＡＮ／ＰＣＦとの間のＡ２１ＨＲＰＤエアインタフェースメッセージに応答するのに使用。
Ａ２１イベント通知：関連するＨＲＰＤネットワークデータのＡＴへの送信成功を、ＡＮ／ＰＣＦへ通知するのに使用。
【００９７】
１ｘネットワークのＡＴとＨＲＰＤネットワークのＡＮ／ＰＣＦとの間の信号方式伝送は、２つの部分に分割される。第１の部分は、エアインタフェースを介してＡＴとＨＲＰＤネットワークの間を信号方式伝送することを含む。第２の部分は、ケーブル接続を介してＢＳとＡＮ／ＰＣＦとの間を信号方式伝送することを含む。
【００９８】
上に述べたのは、本発明の単なる幾つかの実施形態であって、本発明の保護範囲を制限するためのものではない。
【図１】
2009538066.tif 000008
【図２】
2009538066.tif 000009
【図３】
2009538066.tif 000010
【図４】
2009538066.tif 000011
【図５】
2009538066.tif 000012
【手続補正書】
【提出日】平成21年1月22日(2009.1.22)
【手続補正２】
【補正対象書類名】明細書
【補正対象項目名】００９７
【補正方法】変更
【補正の内容】
【００９７】
１ｘネットワークのＡＴとＨＲＰＤネットワークのＡＮ／ＰＣＦとの間の信号方式伝送は、２つの部分に分割される。第１の部分は、エアインタフェースを介してＡＴとＨＲＰＤネットワークの間を信号方式伝送することを含む。第２の部分は、ケーブル接続を介してＢＳとＡＮ／ＰＣＦとの間を信号方式伝送することを含む。
本発明の実施形態で提供されるソリューションにより、ＡＴが１ｘネットワークで動作していて、ＨＲＰＤネットワークにドーマントパケットデータセッションがある場合に、ＨＲＰＤネットワークのパケットデータサービスを確立することが可能となる。このソリューションは、１ｘネットワークとＨＲＰＤネットワークとの間をシームレスにサービスのハンドオフをすることができる点が有利であり、その結果２つのネットワークが相互に補完しあい、ユーザの使用経験も改善される。
【手続補正３】
【補正対象書類名】特許請求の範囲
【補正対象項目名】全文
【補正方法】変更
【補正の内容】
【特許請求の範囲】
【請求項１】
１ｘネットワークにおいて高速パケットデータ（ＨＲＰＤ）ネットワークのパケットデータサービスを確立する方法であって、
アクセス端末（ＡＴ）により、ＨＲＰＤネットワークのターゲットアクセスネットワーク／パケット制御機能（ＡＮ／ＰＣＦ）へセッション確立要求を開始するステップと、
前記ターゲットＡＮ／ＰＣＦにより、既存のＨＲＰＤセッションのセッション情報を取得後、前記ＡＴとのＨＲＰＤセッションを確立するステップと、
前記ターゲットＡＮ／ＰＣＦおよび前記ＡＴにより、前記取得されたセッション情報に基づきセッション環境設定を実行し、ＨＲＰＤネットワークパケットデータサービス用のデータ接続を確立するステップと、
を含む方法。
【請求項２】
前記ＡＴが、前記ＨＲＰＤネットワークパケットデータサービスを実行するために、既存の１ｘネットワークのトラフィックチャネルの信号方式伝送容量を利用して前記ＨＲＰＤネットワークと情報インタラクションをすることを特徴とする請求項１に記載の方法。
【請求項３】
前記既存の１ｘネットワークのトラフィックチャネルは基本チャネル（ＦＣＨ）であることを特徴とする請求項２に記載の方法。
【請求項４】
前記ＡＴによるＨＲＰＤネットワークのターゲットＡＮ／ＰＣＦへのセッション確立要求を開始するステップの前に、前記ＡＴと前記ＨＲＰＤネットワークとの間の情報フローを担うために、前記１ｘネットワークのエアインタフェース上にチャネルを生成するステップをさらに含むことを特徴とする請求項１に記載の方法。
【請求項５】
前記ＡＴと前記ＨＲＰＤネットワークとの間の情報フローを担うために前記１ｘネットワークのエアインタフェース上にチャネルを生成するステップが、
前記ＡＴにより、多重オプションとトラフィックチャネル要求とサービスＩＤとを含むサービス環境設定情報レコードを含むサービス要求を、基地局（ＢＳ）へ送信するステップと、
前記ＢＳにより、前記サービス環境設定の有効な開始時間と、多重オプションとトラフィックチャネル割り当てとサービスＩＤとを含むサービス環境設定情報レコードと、を含むサービス接続応答を返信するステップと、
を含むことを特徴とする請求項４に記載の方法。
【請求項６】
前記生成されるチャネルは、専用制御チャネル（ＤＣＣＨ）であることを特徴とする請求項５に記載の方法。
【請求項７】
前記チャネルが、前記ＡＴと前記ＨＲＰＤネットワークとの間の前記情報フローをデータバーストメッセージによって送信することを特徴とする請求項３または請求項６に記載の方法。
【請求項８】
前記ＡＴと前記ＨＲＰＤネットワークとの間の前記情報フローを担うために前記１ｘネットワークのエアインタフェース上にチャネルを生成するステップが、
前記ＡＴにより、拡張発呼メッセージを前記ＢＳへ送信するステップと、
前記ＢＳにより、前記ＡＴへＢＳ確認応答指示を返信した後、移動交換センタ（ＭＳＣ）へ追加サービス要求を送信するステップと、
前記ＭＳＣにより、割り当て要求を返信するステップと、
前記ＡＴにより、多重オプションとトラフィックチャネル要求とサービスＩＤとを含むサービス環境設定情報レコードを含むサービス要求を、前記ＢＳへ送信するステップと、
前記ＢＳにより、前記サービス環境設定の有効な開始時間と、多重オプションとトラフィックチャネル割り当てとサービスＩＤとを含むサービス環境設定情報レコードと、を含むサービス接続応答を返信するステップと、
をさらに含むことを特徴とする請求項４に記載の方法。
【請求項９】
前記生成されたチャネルが、補足コードチャネル（ＳＣＣＨ）又は補足チャネル（ＳＣＨ）であることを特徴とする請求項８に記載の方法。
【請求項１０】
前記チャネルが、前記ＡＴと前記ＨＲＰＤネットワークとの間の情報フローをサービスデータによって伝送することを特徴とする請求項８に記載の方法。
【請求項１１】
前記ターゲットＡＮ／ＰＣＦにより、既存のＨＲＰＤセッションのセッション情報を取得後、前記ＡＴとのＨＲＰＤセッションを確立するステップが、
前記ターゲットＡＮ／ＰＣＦにより、前記ＡＴの前記ＨＲＰＤセッション情報のすべてが含まれているかどうかを検証し、前記ＨＲＰＤセッション情報のすべてが含まれている場合には、前記ＡＴとのＨＲＰＤセッションを確立し、前記ＨＲＰＤセッション情報のすべてが含まれていない場合には、前記ターゲットＡＮ／ＰＣＦにより、ソースＡＮ／ＰＣＦからＨＲＰＤセッション情報を取得し、前記ＡＴとのＨＲＰＤセッションを確立するステップを含むことを特徴とする請求項１に記載の方法。
【請求項１２】
前記ターゲットＡＮ／ＰＣＦにより、前記ＡＴとのＨＲＰＤセッションを確立した後に、前記ターゲットＡＮ／ＰＣＦにより、パケットデータサービングノード（ＰＤＳＮ）とのデータ接続を確立するステップと、
前記ソースＡＮ／ＰＣＦにより、前記ＰＤＳＮとの古いデータ接続を開放するステップと、
をさらに含むことを特徴とする請求項１１に記載の方法。
【請求項１３】
前記ターゲットＡＮ／ＰＣＦおよび前記ＡＴにより、取得されたセッション情報に基づきセッション環境設定を実行するステップが、
前記ＡＴにより、属性レコードを含む環境設定要求を前記ターゲットＡＮ／ＰＣＦへ送信するステップと、
前記ターゲットＡＮ／ＰＣＦにより、別の属性レコードを含む環境設定応答を返信するステップであって、情報フローが環境設定されかつ前記情報フローのＱｏＳが更新されるように、前記ターゲットＡＮ／ＰＣＦにより返信される前記属性レコードは前記ＡＴおよび前記ターゲットＡＮ／ＰＣＦの両方にサポートされる属性であるとともに前記ＡＴにより送信される属性レコードのサブセットである、前記返信するステップと、
を含むことを特徴とする請求項１に記載の方法。
【請求項１４】
ＨＲＰＤネットワークパケットデータサービス用のデータ接続を確立するステップが、
前記ターゲットＡＮ／ＰＣＦにより、ＰＤＳＮへ登録要求を送信するステップであって、前記要求が、前記サービスデータ送信のための前記ターゲットＡＮ／ＰＣＦと前記ＰＤＳＮとの間のデータ接続のライフサイクルを含む、前記送信するステップと、
前記ＰＤＳＮにより、前記データ接続の確立を完結させる登録応答を返信するステップと、
を含むことを特徴とする請求項１に記載の方法。
【請求項１５】
前記ＡＴと前記ＨＲＰＤネットワークとの間の情報フローが、前記ターゲットＡＮ／ＰＣＦと１ｘＢＳとを経由して伝送され、前記伝送が、前記ＢＳにより前記ターゲットＡＮ／ＰＣＦへ前記情報フローを送信するプロセスと、前記ターゲットＡＮ／ＰＣＦにより前記ＢＳへ前記情報フローを送信するプロセスと、を含み、
前記ＢＳにより前記ターゲットＡＮ／ＰＣＦへ前記情報フローを送信するプロセスが、
前記ＢＳにより、アプリケーションデータ配信サービス（ＡＤＤＳ）配信メッセージを前記ＭＳＣへ送信するステップと、
前記ＭＳＣにより、ＡＤＤＳページメッセージを前記ターゲットＡＮ／ＰＣＦへ送信するステップと、
を含み、
前記ターゲットＡＮ／ＰＣＦにより前記ＢＳへ前記情報フローを送信するプロセスが、
前記ターゲットＡＮ／ＰＣＦにより、ＢＳサービス要求を前記ＭＳＣへ送信するステップと、
ＢＳサービス応答が前記ターゲットＡＮ／ＰＣＦに返信された後に、前記ＭＳＣにより、ＡＤＤＳ配信メッセージを前記ＢＳへ送信するステップと、
を含むことを特徴とする請求項１に記載の方法。
【請求項１６】
前記ターゲットＡＮ／ＰＣＦと前記１ｘＢＳとの間の伝送時に、前記情報フローがＡＤＤＳユーザパートによって送信されることを特徴とする請求項１５に記載の方法。
【請求項１７】
前記ＡＴと前記ＨＲＰＤネットワークとの間の情報フローが前記ターゲットＡＮ／ＰＣＦと１ｘＢＳとを経由して伝送され、前記伝送が、前記ＢＳにより、前記ターゲットＡＮ／ＰＣＦへ前記情報フローを送信するプロセスと、前記ターゲットＡＮ／ＰＣＦにより、前記ＢＳへ前記情報フローを送信するプロセスと、を含み、
前記ＢＳにより前記ターゲットＡＮ／ＰＣＦへ前記情報フローを送信するプロセスが、
前記ＢＳにより、前記情報フローを含むメッセージを前記ターゲットＡＮ／ＰＣＦへ送信するステップと、
前記ターゲットＡＮ／ＰＣＦにより、確認応答メッセージを前記ＢＳへ返信するステップと、
を含み、
前記ターゲットＡＮ／ＰＣＦにより前記ＢＳへ前記情報フローを送信するプロセスが、
前記ターゲットＡＮ／ＰＣＦにより、前記情報フローを含むメッセージを前記ＢＳへ送信するステップと、
前記ＢＳにより、確認応答メッセージを前記ターゲットＡＮ／ＰＣＦへ返信するステップと、
を含むことを特徴とする請求項１に記載の方法。
【国際調査報告】
2009538066.tif 000013
2009538066.tif 000014
2009538066.tif 000015
2009538066.tif 000016